(57)【要約】【課題】ウエブを切断することなく楽な姿勢で版替え等の作業を行なうことができる水平通しの輪転印刷機を提供することである。【解決手段】上下一対のブランケット胴２５に版胴２６を接触させた第１印刷ユニットＵ1 乃至第４印刷ユニットＵ4 をタンデムに配置する。第１印刷ユニットＵ1 のウエブ入口側、第２印刷ユニットＵ2 と第３印刷ユニットＵ3 間および第４印刷ユニットＵ4 のウエブ出口側にステップ３１の下面側にウエブ走行案内部３２を設けたリフタ３０をそれぞれ設け、各リフタ３０の上昇又は下降により、ウエブＳを水平通しされる通紙経路上から上方又は下方に退避させてリフタ３０の下方又は上方に立った姿勢で作業ができる作業空間を確保し、その作業空間において版替え等の作業を行なう。【選択図】図１
2005060079.tif 000002
【特許請求の範囲】
【請求項１】
ウエブロールを支持するロールスタンドと、そのロールスタンドに支持されたウエブロールに対して回転力を付与するドライブ装置と、前記ロールスタンドのウエブロールから繰り出されるウエブに送り力を付与するインフィード装置と、上下に配置された一対のブランケット胴のそれぞれに版胴を接触させ、インフィード装置から送り込まれてくるウエブの両面に印刷を施す複数のタンデムに配置された印刷ユニットとから成る水平通しの輪転印刷機において、前記各印刷ユニットのウエブ入口側又はウエブ出口側に、昇降動されるステップの下面側にウエブの走行を案内するウエブ走行案内部が設けられたリフタを設けたことを特徴とする輪転印刷機。
【請求項２】
前記複数の印刷ユニットを、第１印刷ユニット乃至第４印刷ユニットの４つの印刷ユニットとし、第１印刷ユニットと第２印刷ユニット、および第３印刷ユニットと第４印刷ユニットを共通のサイドフレームで支持して第１印刷装置および第２印刷装置を形成し、前記第１印刷装置のウエブ入口側および第２印刷装置のウエブ出口側、並びに第１印刷装置と第２印刷装置間にリフタを設けた請求項１に記載の輪転印刷機。
【発明の詳細な説明】
【技術分野】
【０００１】
この発明は、新聞用として、あるいは商業用として用いられる輪転印刷機に関するものである。
【背景技術】
【０００２】
新聞用あるいは商業用の輪転印刷機として、図５に示したものが従来から知られている。この輪転印刷機は、給紙部４０、インフィード部４１および印刷部４２から成り、給紙部４０にはウエブロールＲを支持するロールスタンド４３が設けられている。ロールスタンド４３はローラアーム４３ａを有し、そのローラアーム４３ａの先端部でウエブロールＲを回転自在に支持している。
【０００３】
ロールスタンド４３のウエブロールＲから繰り出されるウエブＳはインフィード部４１に設けられたインフィード装置４４の駆動ロール４５の外周にかけられ、その駆動ロール４５の回転によりウエブＳに送り力を付与して、ウエブＳを印刷部４２に送り込むようにしている。
【０００４】
印刷部４２には第１印刷装置Ｐ1 乃至第４印刷装置Ｐ4 がタンデムに配置されている。第１印刷装置Ｐ1 乃至第４印刷装置Ｐ4 は、上下に配置された一対のブランケット胴４６のそれぞれに版胴４７を接触させたＢＢ形印刷ユニットＵを有し、インフィード装置４４から送り出されたウエブＳを第１印刷装置Ｐ1 から第４印刷装置Ｐ4 に水平通しして、各印刷装置Ｐ1 乃至Ｐ4 の印刷ユニットＵによってウエブＳの両面に印刷を施すようにしている。
【発明の開示】
【発明が解決しようとする課題】
【０００５】
ところで、上記従来の輪転印刷機においては、第１印刷装置Ｐ1 乃至第４印刷装置Ｐ4 の各版胴４７に対する印刷版の取り替え、あるいは印刷ユニットＵの清掃に際し、インフィード装置４４と第１印刷装置Ｐ1 間、あるいは隣接する印刷装置Ｐ1 乃至Ｐ4 間に形成された比較的狭い空間に作業者が入り込んで、中腰の姿勢や通紙経路上に設けられた固定のステップ４８上に座る姿勢で版替え等の作業を行なうようにしており、作業性がきわめて悪いという問題があった。
【０００６】
輪転印刷機においては固定のステップ４８が存在しないものもあり、この場合には、第１印刷装置Ｐ1 乃至第４印刷装置Ｐ4 に水平通しされたウエブＳを切断し、その切断ウエブを通紙経路から取り除いた状態で作業を行なうようにしている。この場合、多くの損紙が発生すると共に、印刷の開始に際して紙通しを行なう必要があり、準備に手間がかかるという問題があった。
【０００７】
この発明の課題は、水平通しされたウエブを切断することなく版替え等の作業を簡単に行なうことができるようにした輪転印刷機を提供することである。
【課題を解決するための手段】
【０００８】
上記の課題を解決するために、第１の発明においては、ウエブロールを支持するロールスタンドと、そのロールスタンドに支持されたウエブロールに対して回転力を付与するドライブ装置と、前記ロールスタンドのウエブロールから繰り出されるウエブに送り力を付与するインフィード装置と、上下に配置された一対のブランケット胴のそれぞれに版胴を接触させ、インフィード装置から送り込まれてくるウエブの両面に印刷を施す複数のタンデムに配置された印刷ユニットとから成る水平通しの輪転印刷機において、前記各印刷ユニットのウエブ入口側又はウエブ出口側に、昇降動されるステップの下面側にウエブの走行を案内するウエブ走行案内部が設けられたリフタを設けた構成を採用したのである。
【０００９】
上記の構成から成る輪転印刷機において、各印刷ユニットの版替え等の作業に際しては、リフタを上昇又は下降させ、そのリフタに設けられたウエブ走行案内部により案内されるウエブを引き上げ、又は下降させてウエブを印刷時の通紙経路上から退避させ、リフタの下方又は上方に立った姿勢で作業を行なうことができる作業空間を確保し、その作業空間において版替え等の作業を行なうようにする。
【００１０】
作業の終了後は、リフタを通紙経路上に戻し、ドライブ装置の駆動によりウエブロールをウエブ巻取り方向に回転させてウエブのたるみを取り除き、水平通しされたウエブの印刷走行時にウエブが蛇行するのを防止する。
【００１１】
また、第２の発明においては、第１の発明に係る輪転印刷機において、前記複数の印刷ユニットを、第１印刷ユニット乃至第４印刷ユニットの４つの印刷ユニットとし、第１印刷ユニットと第２印刷ユニット、および第３印刷ユニットと第４印刷ユニットを共通のサイドフレームで支持して第１印刷装置および第２印刷装置を形成し、前記第１印刷装置のウエブ入口側および第２印刷装置のウエブ出口側、並びに第１印刷装置と第２印刷装置間にリフタを設けた構成を採用したのである。
【００１２】
第２の発明に係る輪転印刷機において、版替え等の作業に際し、リフタを上昇または下降させて、印刷時の通紙経路上からウエブを上方又は下方に退避させて、リフタの下方又は上方に立った姿勢で作業を行なうことができる作業空間を確保し、その作業空間において版替え等の作業を行なうようにする。
【発明の効果】
【００１３】
以上のように、第１の発明および第２の発明に係る輪転印刷機においては、リフタを昇降動させることによって水平通しされたウエブを通紙経路の上方又は下方に退避させることができるため、リフタの下方又は上方に立った姿勢で作業を行なうことができる作業空間を確保することができ、ウエブを切断することなく版替え等の作業を簡単に行なうことができる。
【００１４】
また、第２の発明に係る輪転印刷機においては、第１印刷ユニットと第２印刷ユニット、および第３印刷ユニットと第４印刷ユニットとを共通のサイドフレームで支持して第１印刷装置と第２印刷装置とを形成したことによって、輪転印刷機の長さ方向のコンパクト化を図ることができる。
【発明を実施するための最良の形態】
【００１５】
以下、この発明の実施の形態を図１乃至図４に基づいて説明する。図１に示すように、輪転印刷機は、給紙部１、インフィード部１０および印刷部２０から成る。
【００１６】
給紙部１にはウエブロールＲを支持するロールスタンド２と、そのロールスタンド２に支持されたウエブロールＲに回転力を付与するドライブ装置３とが設けられている。
【００１７】
ロールスタンド２は、軸４を中心に回転可能なアーム５を有し、そのアーム５の先端部でウエブロールＲを回転自在に支持するようになっている。
【００１８】
ドライブ装置３は、一対のロール６間に駆動ベルト７をかけ渡した構成とされている。このドライブ装置３は軸４を中心とするアーム５の回転によってウエブロールＲを駆動ベルト７に接触させ、その接触状態で駆動ベルト７を走行させてウエブロールＲを接触回転させるようになっている。
【００１９】
ロールスタンド２のウエブロールＲから繰り出されるウエブＳは下流側に設けられインフィード部１０に送り込まれる。
【００２０】
インフィード部１０にはインフィード装置１１が設けられている。インフィード装置１１は駆動ロール１２および複数のガイドロール１３を有し、ウエブロールＲから繰り出されるウエブＳを各ロール１２、１３により案内し、矢印方向に回動される駆動ロール１２との接触によってウエブＳに送り力を付与して下流側の印刷部２０に送り込むようにしている。
【００２１】
印刷部２０には、第１印刷装置２１および第２印刷装置２２がウエブＳの走行方向に間隔をおいて設けられている。第１印刷装置２１は、共通のサイドフレーム２３によって第１印刷ユニットＵ1 および第２印刷ユニットＵ2 を支持し、一方、第２印刷装置２２は共通のサイドフレーム２４によって第３印刷ユニットＵ3 および第４印刷ユニットＵ4 を支持している。
【００２２】
第１印刷ユニットＵ1 乃至第４印刷ユニットＵ4 は、上下一対のブランケット胴２５と、各ブランケット胴２５に接触させた版胴２６とを有している。
【００２３】
第１印刷ユニットＵ1 乃至第４印刷ユニットＵ4 はタンデムに配置され、前記インフィード装置１１から送り込まれてくるウエブＳは第１印刷ユニットＵ1 から第４印刷ユニットＵ4 に水平通しされている。
【００２４】
第１印刷装置２１のウエブ入口側、第１印刷装置２１と第２印刷装置２２間、および第２印刷装置２２のウエブ出口側にはそれぞれリフタ３０が設けられている。
【００２５】
リフタ３０は、ステップ３１と、そのステップ３１の下面側に設けられたウエブ走行案内部３２とから成り、上記ステップ３１は、図示省略した昇降装置によって昇降動されるようになっている。
【００２６】
ウエブ走行案内部３２は、ウエブＳの走行方向に間隔をおいて設けた上下一対のロール３３から成り、ウエブＳは上下一対のロール３３間に挿通されている。
【００２７】
実施の形態で示す輪転印刷機は上記の構造から成り、ウエブＳに対する印刷に際しては、図１に示すように、第１印刷ユニットＵ1 から第４印刷ユニットＵ4 にウエブＳが水平通しされた状態で行なうようにする。
【００２８】
第１印刷ユニットＵ1 乃至第４印刷ユニットＵ4 における上段側の版胴２６に対する版替えに際しては、ウエブＳの走行停止時において、複数のリフタ３０のそれぞれを下降させる。各リフタ３０の下降によってウエブ走行案内部３２に挿通されたウエブＳは図２に示すように、印刷時の通紙経路より下方の位置に退避され、ステップ３１上には立った姿勢で作業を行なうことができる作業空間が確保される。そこで、ステップ３１上に作業者が乗り移ることによってきわめて楽な姿勢で上段側版胴２６に対して版替えを行なうことができる。
【００２９】
一方、第１印刷ユニットＵ1 乃至第４印刷ユニットＵ4 における下段側の版胴２６に対する版替えに際しては、複数のリフタ３０のそれぞれを上昇させる。各リフタ３０の上昇により、そのリフタ３０のウエブ走行案内部３２に挿通されたウエブＳは上方に引き上げられて、図３に示すように、印刷時の通紙経路より上方の位置に退避され、各リフタ３０の下方に立った姿勢で作業をすることができる作業空間を確保することができる。
【００３０】
そこで、その作業空間に入り込んで、版替えを行なうことにより、きわめて楽な姿勢で版替え作業を行なうことができる。
【００３１】
このように、リフタ３０を昇降動させることにより、ウエブＳを印刷時の通紙経路より上方または下方の位置に退避させることができると共に、そのリフタ３０の下方又は上方に立った姿勢で作業を行なうことができる作業空間を確保することができるので、ウエブＳを切断することなく簡単に版替えすることができる。
【００３２】
なお、版替え以外の作業、例えば、印刷ユニットの清掃に際しても、前記と同様に、リフタ３０を上昇又は下降させて、リフタ３０の下方又は上方に作業空間を確保し、その作業空間において作業を行なうようにする。
【００３３】
版替え等の作業の終了後は、ウエブ走行案内部３２のウエブＳが印刷時の通紙経路に臨む位置までリフタ３０を戻す。このとき、ウエブＳにたるみが生じ、その状態で印刷作業を開始すると、ウエブＳが蛇行して精度が高い印刷を施すことができないため、図４に示すように、軸４を中心とするアーム５の揺動によってウエブロールＲをドライブ装置３の駆動ベルト７に接触させ、その駆動ベルト７の移動によりウエブロールＲをウエブ巻取り方向に接触回転させてウエブＳのたるみを吸収する。
【００３４】
実施の形態では、第１印刷ユニットＵ1 と第２印刷ユニットＵ2 、および第３印刷ユニットＵ3 と第４印刷ユニットＵ4 をそれぞれ共通のサイドフレーム２３、２４で支持したが、各印刷ユニットＵ1 乃至Ｕ4 を図５に示す輪転印刷機と同時に、それぞれ単独のサイドフレームで支持するようにしてもよい。この場合、第１印刷ユニットＵ1 のウエブ入口側、隣接する印刷ユニット間および第４印刷ユニットＵ4 のウエブ出口側にそれぞれリフタ３０を設けるようにする。
【００３５】
また、実施の形態では、給紙部１に設けられたドライブ装置３によりウエブロールＲに回転力を与えてウエブＳを巻取り、その巻取りによってウエブＳの弛みを取り除くようにしたが、印刷部２０の下流側にウエブＳに引張り力を付与する手段、例えば、ウエブを上下から挟持する一対のフィードロールを設け、そのフィードロールの回転によりウエブに引張り力を付与してウエブの弛みを取り除くようにしてもよい。
【図面の簡単な説明】
【００３６】
【図１】この発明に係る輪転印刷機の実施の形態を示す正面図
【図２】印刷ユニットの上段側の版胴に対する版替え作業の状態を示す正面図
【図３】印刷ユニットの下段側の版胴に対する版替え作業の状態を示す正面図
【図４】ウエブロールに回転力を付与してウエブのたるみを吸収している状態の正面図
【図５】従来の輪転印刷機を示す正面図
【符号の説明】
【００３７】
Ｒ    ウエブロール
Ｓ    ウエブ
２    ロールスタンド
１１    インフィード装置
２１    第１印刷装置
２２    第２印刷装置
２３    サイドフレーム
２４    サイドフレーム
２５    ブランケット胴
２６    版胴
３０    リフタ
３１    ステップ
３２    走行案内部
Ｕ1     第１印刷ユニット
Ｕ2     第２印刷ユニット
Ｕ3     第３印刷ユニット
Ｕ4     第４印刷ユニット
【図１】
2005060079.tif 000003
【図２】
2005060079.tif 000004
【図３】
2005060079.tif 000005
【図４】
2005060079.tif 000006
【図５】
2005060079.tif 000007